(57)【要約】【課題】  車両外部にも音が十分に伝わるようにして、外部でのカラオケに対応できるようにする。【解決手段】  車両１の荷台２に、側壁１１及び天井壁１２で囲繞して部屋空間Ｅを形成した小屋１０を設置し、小屋１０の側壁１１に部屋空間Ｅと外との間の出入りを行うための扉１６で開閉可能な出入口１４を設け、部屋空間Ｅ内に、無線式のマイク４０，内部スピーカ４１，小型モニタ４４，大型モニタ４５及びこれらを制御するカラオケの制御装置４２を備え、小屋１０の外部に設置され制御装置４２に接続コード５１を介して接続される外部スピーカ５０を設け、小屋１０の天井壁１２の上面に外部スピーカ５０を収納する収納箱５２を設け、収納箱５２を、外部スピーカ５０を出し入れ可能にする開口５３を有した箱本体５４と、箱本体５４の開口５３を開閉する蓋５５とを備えて構成した。【選択図】図３
2020012935.tif 000002
【特許請求の範囲】
【請求項１】
車両に部屋空間を設けるとともに、該部屋空間内に、マイク，スピーカ，モニタ及びこれらを制御するカラオケの制御装置を備えた移動式カラオケボックス装置において、
荷台のある車両を用い、該車両の荷台に、側壁及び天井壁で囲繞して上記部屋空間を形成した小屋を設置し、該小屋の側壁に上記部屋空間と外との間の出入りを行うための扉で開閉可能な出入口を設け、上記小屋の外部に設置され上記制御装置に接続コードを介して接続される外部スピーカを設け、上記小屋の天井壁の上面に上記外部スピーカを収納する収納箱を設け、該収納箱を、上記外部スピーカを出し入れ可能にする開口を有した箱本体と、該箱本体の開口を開閉する蓋とを備えて構成したことを特徴とする移動式カラオケボックス装置。
【請求項２】
上記外部スピーカを複数設けるとともに各外部スピーカに夫々対応した上記収納箱を複数設け、各収納箱を互いに所要間隔離間させて配置したことを特徴とする請求項１記載の移動式カラオケボックス装置。
【請求項３】
上記外部スピーカの接続コードを、上記小屋の天井壁及び上記収納箱の箱本体を貫通して配線したことを特徴とする請求項１または２記載の移動式カラオケボックス装置。
【請求項４】
上記外部スピーカの接続コードを、該外部スピーカを上記収納箱の箱本体から出して少なくとも上記小屋の外面の所要位置に取付けることが可能な長さに設定したことを特徴とする請求項３記載の移動式カラオケボックス装置。
【請求項５】
上記小屋の外面の所要位置に、上記外部スピーカを取付けるためのフックを設けたことを特徴とする請求項４記載の移動式カラオケボックス装置。
【請求項６】
上記モニタとして、上記小屋の部屋空間において開けられた出入口近傍に移動可能、あるいは、外部に持ち出して設置可能なモニタを備えたことを特徴とする請求項１乃至５何れかに記載の移動式カラオケボックス装置。
【請求項７】
上記小屋の側壁の内上記出入口が設けられる側壁とは別の側壁に、開閉可能な窓を設け、上記モニタとして、上記小屋の部屋空間において上記開けられた窓の外から視認可能になる位置に移動可能なモニタを備えたことを特徴とする請求項１乃至６何れかに記載の移動式カラオケボックス装置。
【請求項８】
上記窓が設けられる側壁に着脱可能に取付けられるテーブルを備えたことを特徴とする請求項７記載の移動式カラオケボックス装置。
【請求項９】
上記天井壁に対して連続させて組付け可能な屋根を備えたことを特徴とする請求項１乃至８何れかに記載の移動式カラオケボックス装置。
【請求項１０】
上記出入口を、上記車両の荷台の後側に位置する後側壁のある部分を出入口として構成し、上記後側壁を上記天井壁に対して回動可能に支持して、上記出入口を閉じる閉位置及び上記天井壁に面一に連続する開位置に移動可能にし、該後側壁を、上記出入口の扉及び上記屋根として構成したことを特徴とする請求項９記載の移動式カラオケボックス装置。
【発明の詳細な説明】
【技術分野】
【０００１】
本発明は、車両にカラオケを行うための部屋空間を設けた移動式カラオケボックス装置に関する。
【背景技術】
【０００２】
従来、この種の移動式カラオケボックス装置としては、例えば、特開平５−５０８７８号公報に掲載されたものが知られている。これは、後側ドアを備えた所謂ワンボックスカーといわれる車両において、運転席の後側に部屋空間を設け、この部屋空間内に、マイク，スピーカ，モニタ及びこれらを制御するカラオケの制御装置を備えて構成されている。カラオケを行うときは、後側ドアを開けて、カラオケ利用者が部屋空間内に入り、後側ドアを閉めて、部屋空間内部でカラオケを行う。
【先行技術文献】
【特許文献】
【０００３】
【特許文献１】特開平５−５０８７８号公報
【発明の概要】
【発明が解決しようとする課題】
【０００４】
ところで、上記従来の移動式カラオケボックス装置にあっては、主には、部屋空間内でカラオケを行うことができるように構成されているので、車両の外でもカラオケを行おうとする場合、例えば、種々のイベントで比較的多数の人が集まり、定員を超える歌唱者や視聴者等の利用者が出てくるような場合には、対応ができにくいという問題があった。その理由は、外部でカラオケを行おうとする場合には、後側ドアを開けて、車両の外に、椅子を置くなどして、車両の外でもカラオケを行うことができないことはないが、スピーカが部屋空間内にあるので、外部に音が伝わりにくく、音が小さくなって聞きにくくなり、歌唱者にとって歌いにくく、また、視聴者にとっても聞き取りにくくなって、十分なカラオケの用をなさなくなるからである。
【０００５】
本発明は上記の問題点に鑑みて為されたもので、車両外部にも音が十分に伝わるようにして、外部でのカラオケに対応できるようにした移動式カラオケボックス装置を提供することを目的とする。
【課題を解決するための手段】
【０００６】
上記の目的を達成するための本発明の移動式カラオケボックス装置は、車両に部屋空間を設けるとともに、該部屋空間内に、マイク，スピーカ，モニタ及びこれらを制御するカラオケの制御装置を備えた移動式カラオケボックス装置において、
荷台のある車両を用い、該車両の荷台に、側壁及び天井壁で囲繞して上記部屋空間を形成した小屋を設置し、該小屋の側壁に上記部屋空間と外との間の出入りを行うための扉で開閉可能な出入口を設け、上記小屋の外部に設置され上記制御装置に接続コードを介して接続される外部スピーカを設け、上記小屋の天井壁の上面に上記外部スピーカを収納する収納箱を設け、該収納箱を、上記外部スピーカを出し入れ可能にする開口を有した箱本体と、該箱本体の開口を開閉する蓋とを備えて構成している。
【０００７】
これにより、本装置の使用時において、部屋空間でカラオケを行うときは、出入口の扉を開けて、カラオケ利用者が部屋空間内に入り、扉を閉めて、カラオケを行う。
また、外部でカラオケを行うときは、収納箱を開けるとともに、出入口の扉を開状態にする。そして、外部スピーカから音を外部に流し、カラオケを行う。この場合、収納箱の蓋を開けるだけで、外部スピーカから外部に音を流すことができるので、外部でのカラオケの設定を極めて容易に行うことができる。また、外部スピーカから音を流すので、音が外部に十分に伝わるようになり、そのため、適正な音量に調整してカラオケを行うことができ、外部でのカラオケに対応することができるようになる。尚、マイクは、近年は、無線マイクが主流なので、外部においてもこれを使用することができる。この外部でのカラオケの場合、部屋空間内でカラオケを行っても良いことは勿論である。即ち、車両外部にも音が十分に伝わるようにして、外部でのカラオケに対応できるようになる。
【０００８】
本装置の非使用時においては、外部スピーカを収納した収納箱の蓋を閉じておく。そのため、雨水によって外部スピーカが濡れるなどして支障をきたす事態を防止することができる。また、外部スピーカを天井壁に設けた収納箱に収納したので、部屋空間に収納する場合に比較して、部屋空間のスペースを広く確保することができる。
【０００９】
そして、必要に応じ、上記外部スピーカを複数設けるとともに各外部スピーカに夫々対応した上記収納箱を複数設け、各収納箱を互いに所要間隔離間させて配置した構成としている。これにより、各スピーカから異なった音を出し立体的な音響効果をねらった所謂ステレオといわれる立体音響を送出することができる。２種の音を左右に離して設けられたスピーカから流し、あるいは、所謂４チャンネルにして４種の音を流し、あるいはまた、所謂マルチチャンネルにして５種以上の音を流すことができる。
【００１０】
また、必要に応じ、上記外部スピーカの接続コードを、上記小屋の天井壁及び上記収納箱の箱本体を貫通して配線した構成としている。水密性を確保でき、雨水によって支障をきたす事態を防止することができる。
【００１１】
更に、必要に応じ、上記外部スピーカの接続コードを、該外部スピーカを上記収納箱の箱本体から出して少なくとも上記小屋の外面の所要位置に取付けることが可能な長さに設定した構成としている。スピーカを箱本体から出して、天井壁の上面などに設置し、あるいは、車両周囲に設置することもでき、外部の利用者の状況に応じて、適正な音響に設定することができる。
【００１２】
この場合、上記小屋の外面の所要位置に、上記外部スピーカを取付けるためのフックを設けたことが有効である。設置を容易にすることができる。
【００１３】
更にまた、必要に応じ、上記モニタとして、上記小屋の部屋空間において開けられた出入口近傍に移動可能、あるいは、外部に持ち出して設置可能なモニタを備えた構成としている。外部でカラオケを行う場合、モニタを出入口近傍に移動させ、あるいは、外部に持ち出して設置することができる。そのため、モニタの画像を外部の利用者から見易くすることができ、外部でのカラオケの環境を向上させることができる。
【００１４】
そしてまた、必要に応じ、上記小屋の側壁の内上記出入口が設けられる側壁とは別の側壁に、開閉可能な窓を設け、上記モニタとして、上記小屋の部屋空間において上記開けられた窓の外から視認可能になる位置に移動可能なモニタを備えた構成としている。出入口が設けられる側壁とは別の側壁に設けた窓からモニタの画像を見ることができるので、内部のモニタを見る範囲が広がることから、外部の利用者の配置範囲が広がり、そのため、より多数の利用者の利用を図ることができる。
【００１５】
この場合、上記窓が設けられる側壁に着脱可能に取付けられるテーブルを備えたことが有効である。外部の利用者が飲み物の容器などを載置することができ、便利になる。
【００１６】
また、必要に応じ、上記天井壁に対して連続させて組付け可能な屋根を備えた構成としている。これにより、車両側方の地面を屋根で覆うことができるので、雨が降る場合等でも、利用し易くすることができる。
【００１７】
この場合、上記出入口を、上記車両の荷台の後側に位置する後側壁のある部分を出入口として構成し、上記後側壁を上記天井壁に対して回動可能に支持して、上記出入口を閉じる閉位置及び上記天井壁に面一に連続する開位置に移動可能にし、該後側壁を、上記出入口の扉及び上記屋根として構成したことが有効である。後側壁を、出入口の扉及び屋根として兼用するので、部材の利用効率が極めて良くなる。
【発明の効果】
【００１８】
本発明によれば、車両外部にも音が十分に伝わるようにして、外部でのカラオケに対応できるようになる。即ち、外部でカラオケを行うときは、収納箱を開けるとともに、出入口の扉を開状態にする。そして、外部スピーカから音を外部に流し、カラオケを行う。この場合、収納箱の蓋を開けるだけで、外部スピーカから外部に音を流すことができるので、外部でのカラオケの設定を極めて容易に行うことができる。また、外部スピーカから音を流すので、音が外部に十分に伝わるようになり、そのため、適正な音量に調整してカラオケを行うことができ、外部でのカラオケに対応することができるようになる。
【図面の簡単な説明】
【００１９】
【図１】本発明の実施の形態に係る移動式カラオケボックス装置を使用状態で示す斜視図である。
【図２】本発明の実施の形態に係る移動式カラオケボックス装置を移動させることのできる非使用時の状態で示す側面図である。
【図３】本発明の実施の形態に係る移動式カラオケボックス装置を使用状態で示す側面断面図である。
【図４】本発明の実施の形態に係る移動式カラオケボックス装置を使用状態で示す背面図である。
【図５】本発明の実施の形態に係る移動式カラオケボックス装置においてテーブルの取付構造例を示す要部断面である。
【発明を実施するための形態】
【００２０】
以下、添付図面に基づいて本発明の実施の形態に係る移動式カラオケボックス装置について詳細に説明する。
図１乃至図４に示すように、実施の形態に係る移動式カラオケボックス装置Ｓは、軽トラックからなる荷台２のある車両１を用いる。車両１は、運転席のあるルーフを有した運転席ボックス４の後側に矩形状の床面５を備えた荷台２を備え、荷台２の側縁及び後縁には側あおり６及び後あおり７が夫々蝶番を介して開閉可能に設けられている。
【００２１】
荷台２の床面５には、側壁１１，天井壁１２及び床壁１３で囲繞された部屋空間Ｅを有した直方体形状の小屋１０が設置される。側壁１１，天井壁１２及び床壁１３は、実施の形態では、木製であるが、これに限らず、樹脂製，金属製等材質は適宜変更して差支えない。小屋１０の側壁１１には、部屋空間Ｅと外との間の出入りを行うための扉１６で開閉可能な出入口１４が設けられている。実施の形態では、出入口１４は、車両１の荷台２の後側に位置する後側壁１５のある部分で構成され、この後側壁１５を天井壁１２に対してヒンジを介して回動可能に支持して、出入口１４を閉じる閉位置及び天井壁１２に面一に連続する開位置に移動可能にし、この後側壁１５を、出入口１４の扉１６として構成している。
【００２２】
天井壁１２の上面の前縁部には、車両１前後方向に直交する表示面２１を有した矩形板状の看板２０が立設されている。天井壁１２の左右の側縁部には、看板２０を支持する一対のフレーム２２が設けられている。フレーム２２は、Ｌ字状に形成され一端が看板２０に取付けられ他端が天井壁１２の後端に取付けられている。表示面２１は、看板２０の前面と、後面の上部に形成されており、例えば、「カラオケ○○」等、本装置Ｓの機能や広告等の表示（図示せず）が付されている。側壁１１の外面にも広告等の表示を付すことができる。
【００２３】
また、本装置Ｓは、小屋１０の天井壁１２に対して連続させて組付け可能な板状の屋根が備えられている。屋根は、天井壁１２の一側縁部及び後縁部の周囲に設けられる。屋根は、順に連設される第１屋根２５，第２屋根２６及び第３屋根２７からなり、そのうち、出入口１４の扉１６として構成される上記の後側壁１５が、天井壁１２の後縁部に設けられる第１屋根２５として構成されている。第２屋根２６は、天井壁１２の一側縁部に図示外の取付金具により着脱可能に取付けられ、第３屋根２７は、第１屋根２５の一側縁と第２屋根２６の一側縁との間に図示外の取付金具により着脱可能に取付けられる。また、屋根を設ける際には、各屋根は、地面に支持した複数の支柱２８で支持される。
【００２４】
更に、小屋１０の側壁１１の内、出入口１４が設けられる側壁１１とは別の側壁１１に、開閉可能な窓３０が設けられている。実施の形態では、第２屋根２６が設けられる側壁１１の後側に設けられている。窓３０は、金属製の枠状のサッシ３１と、一対の引き戸３２からなる。引き戸３２には半透明の板ガラスが嵌め込まれている。
【００２５】
更にまた、本装置Ｓは、窓３０が設けられる側壁１１に着脱可能に取付けられるテーブル３５が備えられている。テーブル３５は、矩形板状に形成され、図５に示すように、サッシ３１の下側に取付手段３６を介して取付けられる。取付手段３６は、例えば、テーブル３５の後縁部下側に設けられる断面Ｌ字状の複数の取付金具３７と、取付金具３７に対応して側壁１１に設けられる複数のウエルドナット３８と、取付金具３７の取付孔に挿通されてウエルドナット３８に螺合し、締め付けることにより取付金具３７を側壁１１に押圧して固定する複数の蝶ボルト３９とから構成されている。取付手段３６の構成はこれに限定されない。
【００２６】
また、本装置Ｓにおいて、小屋１０の部屋空間Ｅには、無線タイプの複数のマイク４０，一対の内部スピーカ４１，後述のモニタ及びこれらを制御するカラオケの制御装置４２が備えられている。この制御装置４２は、カラオケの音声データや画像データを通信回線を介して入手して記憶保存し、これをスピーカ及びモニタに送出する機能を備えている。また、制御装置４２は、操作用のリモコン（図示せず）により操作可能になっている。実施の形態では、モニタは２つ設けられている。１つは、制御装置４２に付属の小型モニタ４４であり、もう１つは、出入口１４の開口面積の約３０〜４０％の面積の画像表示部を有した大型モニタ４５である。内部スピーカ４１及び大型モニタ４５は制御装置４２に接続コード（図示せず）を介して接続される。
【００２７】
部屋空間Ｅの前側の側壁１１には棚４６が設けられており、一対の内部スピーカ４１及び制御装置４２は、この棚４６に載置されている。また、小型モニタ４４は、制御装置４２とともに部屋空間Ｅ内を移動可能になっており、特に、後述の外部でのカラオケ時には、引き戸３２を開けた状態の窓３０の外から視認可能になる窓３０の近傍位置に移動可能になっている。窓３０の近傍位置においては、制御装置４２は基台４７に載置される。一方、大型モニタ４５は、通常は棚４６の下に載置されている。この大型モニタ４５は、部屋空間Ｅ内を移動可能になっており、特に、後述の外部でのカラオケ時には、開けられた出入口１４近傍に移動可能になっている。尚、大型モニタ４５は外部に持ち出して設置可能にしても良い。
【００２８】
そして、本装置Ｓにおいては、小屋１０の外部に設置され制御装置４２に接続コード５１を介して接続される複数（実施の形態では一対）の外部スピーカ５０が設けられている。小屋１０の天井壁１２の上面には、各外部スピーカ５０に夫々対応して設けられ、各外部スピーカ５０を夫々収納する一対の直方体状の収納箱５２が設けられている。収納箱５２は、外部スピーカ５０を出し入れ可能にする上開放の開口５３を有し天井壁１２に固着される箱本体５４と、箱本体５４の開口５３を開閉する鍔付きの蓋５５とを備えて構成されている。各収納箱５２は、夫々、天井壁１２の前側の左右に分かれて設けられ、即ち、所要間隔離間させて配置されている。
【００２９】
また、外部スピーカ５０の接続コード５１は、小屋１０の天井壁１２及び収納箱５２の箱本体５４を貫通する貫通孔５６を通して配線されている。この外部スピーカ５０の接続コード５１は、外部スピーカ５０を収納箱５２の箱本体５４から出して少なくとも小屋１０の外面の所要位置に取付けることが可能な長さに設定されている。例えば、小屋１０の外面の所要位置に、実施の形態では左右の側壁１１の前側上側に、外部スピーカ５０を取付けるためのフック５７が設けられており、外部スピーカ５０を収納箱５２の箱本体５４から出して、このフック５７に吊下可能にしている。外部スピーカ５０を収納箱５２に収納した状態では、接続コード５１も束ねられて収納箱５２に収納される。
【００３０】
従って、この実施の形態に係る移動式カラオケボックス装置Ｓによれば、図２に示すように、これを使用しないときや移動の際には、第２屋根２６，第３屋根２７，支柱２８を分解して部屋空間Ｅに収納しておくとともに、外部スピーカ５０を収納箱５２に収納し、蓋５５を被せておく。出入口１４は、扉１６（後側壁１５）で閉じておく。この本装置Ｓの非使用時においては、外部スピーカ５０を収納した収納箱５２は、蓋５５で閉じられているので、水密性が良く、雨水によって外部スピーカ５０が濡れるなどして支障をきたす事態を防止することができる。また、外部スピーカ５０を天井壁１２に設けた収納箱５２に収納したので、部屋空間Ｅに収納する場合に比較して、部屋空間Ｅのスペースを広く確保することができる。
【００３１】
本装置Ｓの使用時において、部屋空間Ｅでカラオケを行うときは、出入口１４の扉１６（後側壁１５）を開けて、第２屋根２６，第３屋根２７，支柱２８を外に出す。そして、カラオケ利用者が部屋空間Ｅ内に入り、扉１６（後側壁１５）を閉めて、カラオケを行う。この場合、一対の内部スピーカ４１及び制御装置４２は、棚４６に載置されており、大型モニタ４５は、棚４６の下に載置されているので、部屋空間Ｅ内でカラオケを行うことができる。
【００３２】
また、外部でカラオケを行うときは、図１，図３及び図４に示すように、例えば、以下のようにする。収納箱５２を開けるとともに、出入口１４の扉１６（後側壁１５）を開状態にし、この扉１６（後側壁１５）を第１屋根２５として支柱２８で支持する。必要に応じ、第２屋根２６及び第３屋根２７を取付け、支柱２８で支持する。また、サッシ３１の下側にテーブル３５を取付ける。更に、制御装置４２を、棚４６から下ろし、引き戸３２を開けた状態の窓３０の外から視認可能になる窓３０の近傍位置に移動させるとともに、大型モニタ４５を、開けられた出入口１４近傍に移動させる。
【００３３】
そして、外部スピーカ５０から音を外部に流し、カラオケを行う。この場合、収納箱５２の蓋５５を開けるだけで、外部スピーカ５０から外部に音を流すことができるので、外部でのカラオケの設定を極めて容易に行うことができる。また、外部スピーカ５０から音を流すので、音が外部に十分に伝わるようになり、そのため、適正な音量に調整してカラオケを行うことができ、外部でのカラオケに対応することができるようになる。尚、マイク４０は、近年は、無線マイクが主流なので、外部においてもこれを使用することができる。
【００３４】
また、この場合、外部スピーカ５０を複数設けたので、各外部スピーカ５０から異なった音を出し立体的な音響効果をねらった所謂ステレオといわれる立体音響を送出することができる。外部スピーカ５０の接続コード５１は、小屋１０の天井壁１２及び収納箱５２の箱本体５４を貫通孔５６を通して貫通して配線されているので、水密性を確保でき、雨水によって支障をきたす事態を防止することができる。
【００３５】
更にまた、大型モニタ４５を、開けられた出入口１４近傍に移動させているので、モニタの画像を外部の利用者から見易くすることができ、外部でのカラオケの環境を向上させることができる。また、小型モニタ４４のある制御装置４２を、開けられた窓３０の外から視認可能になる位置に移動させているので、大型モニタ４５のみならず小型モニタ４４を見ることができ、それだけ、画像を見る範囲が広がることから、外部の利用者の配置範囲が広がり、そのため、より多数の利用者の利用を図ることができる。
【００３６】
また、窓３０のある側壁１１にはテーブル３５が設けられているので、外部の利用者が飲み物の容器などを載置することができ、便利になる。更に、天井壁１２に対して連続させて組付け可能な屋根を備えたので、車両１側方の地面を屋根で覆うことができることから、雨が降る場合等でも、利用し易くすることができる。この場合、後側壁１５を、出入口１４の扉１６及び屋根として兼用するので、部材の利用効率が極めて良くなる。
【００３７】
このような外部でのカラオケにおいては、外部スピーカ５０を収納箱５２から取り出して、側壁１１のフック５７に吊下することができる。この場合、外部スピーカ５０の接続コード５１の長さが確保されているので、配線に支障をきたすことがない。また、フック５７に吊下するので、設置を容易にすることができる。外部スピーカ５０を側壁１１に設置できるので、外部の利用者の状況に応じて、適正な音響に設定することができる。
【００３８】
尚、上記の外部でのカラオケの例においては、制御装置４２を、棚４６から下ろし、引き戸３２を開けた状態の窓３０の外から小型モニタ４４が視認可能になる窓３０の近傍位置に移動させたが、必ずしもこれに限定されるものではなく、制御装置４２は棚４６に置いたままにしても良い。この場合には、大型モニタ４５を見ての外部でのカラオケとともに、部屋空間Ｅ内でも小型モニタ４４を見てカラオケを行うことができる。また、大型モニタ４５を、棚４６の下に置いたままにし、制御装置４２を引き戸３２を開けた状態の窓３０の近傍位置に移動させても良い。この場合には、小型モニタ４４を見ての外部でのカラオケとともに、部屋空間Ｅ内でも大型モニタ４５を見てカラオケを行うことができる。屋根は、天候状態等を考慮し、適宜に、設けるようにして良い。
【００３９】
尚また、上記実施の形態では、小型モニタ４４が付いた制御装置４２を移動させるようにしているが、必ずしもこれに限定されるものではなく、窓３０の近傍位置用の専用のモニタを別途用意し、即ち、モニタを３台にして、カラオケを行うようにしても良く、適宜変更して差支えない。モニタの数は、４台以上あっても良いことは勿論である。更に、上記実施の形態においては、車両１を軽トラックで構成したが、必ずしもこれに限定されるものではなく、荷台２のある車両１であればどのような車両１でも良いことは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４０】
Ｓ  移動式カラオケボックス装置
１  車両
２  荷台
５  床面
１０  小屋
１１  側壁
１２  天井壁
１３  床壁
Ｅ  部屋空間
１４  出入口
１５  後側壁
１６  扉
２０  看板
２１  表示面
２２  フレーム
２５  第１屋根
２６  第２屋根
２７  第３屋根
２８  支柱
３０  窓
３１  サッシ
３２  引き戸
３５  テーブル
３６  取付手段
４０  マイク
４１  内部スピーカ
４２  制御装置
４４  小型モニタ
４５  大型モニタ
４６  棚
４７  基台
５０  外部スピーカ
５１  接続コード
５２  収納箱
５３  開口
５４  箱本体
５５  蓋
５６  貫通孔
５７  フック
【図１】
2020012935.tif 000003
【図２】
2020012935.tif 000004
【図３】
2020012935.tif 000005
【図４】
2020012935.tif 000006
【図５】
2020012935.tif 000007